(57)【特許請求の範囲】
【請求項１】
電気光学装置において、
複数の走査線と、
複数のデータ線と、
前記走査線と前記データ線との交差に対応して設けられた複数の画素であって、かつ、
前記複数の画素のそれぞれが、データを保持する保持手段と、前記保持手段に保持された
データに応じて、駆動電流を設定する駆動素子と、当該設定された駆動電流に応じた輝度
で発光する電気光学素子とを有する複数の画素と、
前記走査線に走査信号を出力することにより、データの書込対象となる画素に対応する
前記走査線を選択する走査線駆動回路と、
前記走査線駆動回路と協働し、前記書込対象となる画素に対応する前記データ線にデー
タを出力するデータ線駆動回路と、
前記複数の画素のそれぞれの駆動モードを走査線毎または表示領域毎に選択する駆動モ
ード選択回路とを有し、
前記駆動モード選択回路は、
前記駆動モードとして第１の駆動モードを選択した場合、前記書込対象となる画素に対
応する前記走査線が選択されてから当該走査線が次に選択されるまでの期間よりも短い第
１の発光期間で、前記電気光学素子を駆動させ、
前記駆動モードとして前記第１の駆動モードとは異なる第２の駆動モードを選択した場
合、前記書込対象となる画素に対応する前記走査線が選択されてから当該走査線が次に選
択されるまでの期間において、前記第１の発光期間よりも長い第２の発光期間で、前記電
気光学素子を駆動させることを特徴とする電気光学装置。
【請求項２】
電気光学装置において、
複数の走査線と、
複数のデータ線と、
前記走査線と前記データ線との交差に対応して設けらた複数の画素であって、かつ、前
記複数の画素のそれぞれが、データの書き込みが行われるキャパシタと、前記キャパシタ
に書き込まれたデータに応じて、駆動電流を設定する駆動トランジスタと、当該設定され
た駆動電流に応じた輝度で発光する電気光学素子とを有する複数の画素と、
前記走査線に走査信号を出力することにより、データの書込対象となる画素に対応する
前記走査線を選択する走査線駆動回路と、
前記走査線駆動回路と協働し、前記書込対象となる画素に対応する前記データ線にデー
タを出力するデータ線駆動回路と、
前記複数の画素のそれぞれの駆動モードを走査線毎または表示領域毎に選択する駆動モ
ード選択回路とを有し、
前記駆動モード選択回路は、
前記駆動モードとして第１の駆動モードを選択した場合、前記書込対象となる画素に対
応する前記走査線が選択されてから当該走査線が次に選択されるまでの期間よりも短い第
１の発光期間で、前記電気光学素子を駆動させ、
前記駆動モードとして前記第１の駆動モードとは異なる第２の駆動モードを選択した場
合、前記書込対象となる画素に対応する前記走査線が選択されてから当該走査線が次に選
択されるまでの期間において、前記第１の発光期間よりも長い第２の発光期間で、前記電
気光学素子を駆動させることを特徴とする電気光学装置。
【請求項３】
前記駆動モード選択回路は、前記第１の駆動モード選択時には、前記電気光学素子をイ
ンパルス駆動させ、前記第２の駆動モードの選択時には、前記電気光学素子をホールド駆
動させることを特徴とする請求項２に記載された電気光学装置。
【請求項４】
前記画素のそれぞれは、前記電気光学素子に供給される前記駆動電流の電流経路中に設
けられた制御トランジスタをさらに有し、
前記駆動モード選択回路は、前記書込対象となる画素に対応する前記走査線が選択され
てから当該走査線が次に選択されるまでの期間において、前記制御トランジスタの導通制
御を行うことにより、前記第１の駆動モードにおける前記電気光学素子の駆動と、前記第
２の駆動モードにおける前記電気光学素子の駆動とを行うことを特徴とする請求項２また
は３に記載された電気光学装置。
【請求項５】
前記駆動モード選択回路は、前記第１の駆動モードの選択時には、前記書込対象となる
画素に対応する前記走査線が選択されてから当該走査線が次に選択されるまでの期間にお
いて、前記制御トランジスタによって、前記駆動電流の電流経路を繰り返し遮断すること
により、前記電気光学素子をインパルス駆動させることを特徴とする請求項４に記載され
た電気光学装置。
【請求項６】
前記駆動モード選択回路は、前記第２の駆動モードの選択時には、前記書込対象となる
画素に対応する前記走査線が選択されてから当該走査線が次に選択されるまでの期間にお
いて、前記制御トランジスタによって、前記駆動電流の電流経路を維持することにより、
前記電気光学素子をホールド駆動させることを特徴とする請求項５に記載された電気光学
装置。
【請求項７】
前記駆動モード選択回路は、前記第１の駆動モードの選択時には、前記書込対象となる
画素に対応する前記走査線が選択されてから当該走査線が次に選択されるまでの期間にお
いて、前記キャパシタに書き込まれたデータによって、前記電気光学素子に対して前記駆
動電流を供給した後に、前記キャパシタに書き込まれたデータの消去を行うことにより、
前記電気光学素子をインパルス駆動させることを特徴とする請求項２または３に記載され
た電気光学装置。
【請求項８】
前記駆動モード選択回路は、前記第２の駆動モードの選択時には、前記書込対象となる
画素に対応する前記走査線が選択されてから当該走査線が次に選択されるまでの期間にお
いて、前記キャパシタに書き込まれたデータによって、前記電気光学素子に対して前記駆
動電流を供給し続けることにより、前記電気光学素子をホールド駆動させることを特徴と
する請求項７に記載された電気光学装置。
【請求項９】
前記データ線駆動回路は、前記データ線に対して、データ電流としてデータを出力し、
前記画素のそれぞれは、プログラミングトランジスタをさらに有し、
前記プログラミングトランジスタは、自己のチャネルに前記データ電流が流れることに
より発生するゲート電圧に基づいて、前記キャパシタに対するデータの書き込みを行うこ
とを特徴とする請求項２から８のいずれかに記載された電気光学装置。
【請求項１０】
前記駆動トランジスタは、前記プログラミングトランジスタとしての機能も兼ねている
ことを特徴とする請求項９に記載された電気光学装置。
【請求項１１】
前記データ線駆動回路は、前記データ線に対して、データ電圧としてデータを出力し、
前記キャパシタに対するデータの書き込みは、前記データ電圧に基づいて行われること
を特徴とする請求項２から８のいずれかに記載された電気光学装置。
【請求項１２】
前記駆動モード選択回路は、前記駆動モードを指定する駆動モード信号に基づいて、前
記電気光学素子の駆動制御を行うパルス信号を出力し、
前記駆動モード選択回路は、前記第１の駆動モードの選択時には、前記パルス信号とし
て、高レベルと低レベルとが交互に繰り返されるパルス形状を有する信号を出力し、前記
第２の駆動モードの選択時には、前記パルス信号として、前記第１の駆動モードの選択時
における波形形状とは異なる波形形状を有する信号を出力することを特徴とする請求項２
または３に記載された電気光学装置。
【請求項１３】
前記駆動モード選択回路は、
前記走査信号の変化タイミングにおいて、前記駆動モード信号のレベルを保持するフリ
ップフロップと、
前記フリップフロップに保持されたレベルに応じて、高レベルと低レベルとが交互に繰
り返されるパルス形状を有する第１の駆動信号、または、前記第１の駆動信号とは異なる
波形形状を有する第２の駆動信号のいずれかを選択して出力する選択部と、
前記選択部より出力された信号と、前記走査信号と同期し、かつ、前記走査信号とは反
対の論理レベルをとる制御信号とに基づいて、前記パルス信号を出力する論理回路と
を有することを特徴とする請求項１２に記載された電気光学装置。
【請求項１４】
請求項１から１３のいずれかに記載された電気光学装置を実装した電子機器。
【請求項１５】
走査線とデータ線との交差に対応して設けられた複数の画素を有し、前記複数の画素の
それぞれが、データを保持する保持手段と、前記保持手段に保持されたデータに応じて、
駆動電流を設定する駆動素子と、当該設定された駆動電流に応じた輝度で発光する電気光
学素子とを有し、かつ、前記複数の画素のそれぞれの駆動モードを走査線毎または表示領
域毎に選択する電気光学装置の駆動方法において、
前記駆動モードとして第１の駆動モードが選択された場合、前記書込対象となる画素に
対応する走査線が選択されてから当該走査線が次に選択されるまでの期間よりも短い第１
の発光期間で、前記電気光学素子を駆動させる第１のステップと、
前記駆動モードとして前記第１の駆動モードとは異なる第２の駆動モードが選択された
場合、前記書込対象となる画素に対応する前記走査線が選択されてから当該走査線が次に
選択されるまでの期間において、前記第１の発光期間よりも長い第２の発光期間で、前記
電気光学素子を駆動させる第２のステップと
を有することを特徴とする電気光学装置の駆動方法。
【請求項１６】
走査線とデータ線との交差に対応して設けられた複数の画素を有し、前記複数の画素の
それぞれが、データの書き込みが行われるキャパシタと、前記キャパシタに書き込まれた
データに応じて、駆動電流を設定する駆動トランジスタと、当該設定された駆動電流に応
じた輝度で発光する電気光学素子とを有し、かつ、前記複数の画素のそれぞれの駆動モー
ドを走査線毎または表示領域毎に選択する電気光学装置の駆動方法において、
前記駆動モードとして第１の駆動モードが選択された場合、前記書込対象となる画素に
対応する走査線が選択されてから当該走査線が次に選択されるまでの期間よりも短い第１
の発光期間で、前記電気光学素子を駆動させる第１のステップと、
前記駆動モードとして前記第１の駆動モードとは異なる第２の駆動モードが選択された
場合、前記書込対象となる画素に対応する前記走査線が選択されてから当該走査線が次に
選択されるまでの期間において、前記第１の発光期間よりも長い第２の発光期間で、前記
電気光学素子を駆動させる第２のステップと
を有することを特徴とする電気光学装置の駆動方法。
【請求項１７】
前記第１のステップでは、前記電気光学素子のインパルス駆動が行われ、
前記第２のステップでは、前記電気光学素子のホールド駆動が行われることを特徴とす
る請求項１６に記載された電気光学装置の駆動方法。
【請求項１８】
前記画素のそれぞれは、前記電気光学素子に供給される前記駆動電流の電流経路中に設
けられた制御トランジスタをさらに有し、
前記第１のステップは、前記書込対象となる画素に対応する前記走査線が選択されてか
ら当該走査線が次に選択されるまでの期間において、前記制御トランジスタによって、前
記駆動電流の電流経路を繰り返し遮断することにより、前記電気光学素子をインパルス駆
動させるステップであることを特徴とする請求項１６または１７に記載された電気光学装
置の駆動方法。
【請求項１９】
前記第２のステップは、前記書込対象となる画素に対応する前記走査線が選択されてか
ら当該走査線が次に選択されるまでの期間において、前記制御トランジスタによって、前
記駆動電流の電流経路を維持することにより、前記電気光学素子をホールド駆動させるス
テップであることを特徴とする請求項１８に記載された電気光学装置の駆動方法。
【請求項２０】
前記第１のステップは、前記書込対象となる画素に対応する前記走査線が選択されてか
ら当該走査線が次に選択されるまでの期間において、前記キャパシタに書き込まれたデー
タに応じて、前記電気光学素子に対して前記駆動電流を供給した後に、前記キャパシタに
書き込まれたデータの消去を行うことにより、前記電気光学素子をインパルス駆動させる
ステップであることを特徴とする請求項１６または１７に記載された電気光学装置の駆動
方法。
【請求項２１】
前記第２のステップは、前記書込対象となる画素に対応する前記走査線が選択されてか
ら当該走査線が次に選択されるまでの期間において、前記キャパシタに書き込まれたデー
タに応じて、前記電気光学素子に対して前記駆動電流を供給し続けることにより、前記電
気光学素子をホールド駆動させるステップであることを特徴とする請求項２０に記載され
た電気光学装置の駆動方法。
【請求項２２】
前記画素のそれぞれが、プログラミングトランジスタをさらに有するとともに、前記画
素のそれぞれに対して、データ電流としてデータが供給される電気光学
装置の駆動方法において、
前記プログラミングトランジスタのチャネルに前記データ電流が流れることにより発生
するゲート電圧に基づいて、前記キャパシタに対するデータの書き込みが行われることを
特徴とする請求項１６から２１のいずれかに記載された電気光学装置の駆動方法。
【請求項２３】
前記画素のそれぞれに対して、データ電圧としてデータが供給される電気光学装置の駆
動方法において、
前記データ電圧に基づいて、前記キャパシタに対するデータの書き込みが行われること
を特徴とする請求項１６から２１のいずれかに記載された電気光学装置の駆動方法。
【発明の詳細な説明】
【技術分野】
【０００１】
本発明は、電流によって発光輝度が制御される電気光学素子を用いた電気光学装置、電気光学装置の駆動方法および電子機器に係り、特に、画素の駆動モードを選択する技術に関する。
【背景技術】
【０００２】
近年、有機ＥＬ（Electronic Luminescence）素子を用いたフラットパネルディスプレイ（ＦＰＤ）が注目されている。有機ＥＬ素子は、自己を流れる電流によって駆動する典型的な電流駆動型素子であり、その電流レベルに応じた輝度で自己発光する。有機ＥＬ素子を用いたアクティブマトリクス型ディスプレイの駆動方式は、電圧プログラム方式と電流プログラム方式とに大別される。
【０００３】
例えば、電圧プログラム方式に関する特許文献１には、有機ＥＬ素子に駆動電流を供給する電流経路中に、この経路を遮断するトランジスタ（同文献の図５に示すＴＦＴ3）を設けた画素回路が開示されている。このトランジスタは、１フレーム期間の前半においてオン状態に制御されるとともに、その後半においてオフ状態に制御される。したがって、トランジスタがオンして駆動電流が流れる前半期間では、その電流レベルに応じた輝度で有機ＥＬ素子が発光する。また、トランジスタがオフして駆動電流が遮断される後半期間では、有機ＥＬ素子が強制的に消灯するため、黒が表示される。このような手法はブリンキング（Blinking）と呼ばれており、この手法によって、人間の目が感じる残像を断ち切り、動画表示品質の改善を図ることができる。
【０００４】
また、例えば、特許文献２および特許文献３には、電流プログラム方式を用いた画素回路の構成が開示されている。特許文献２は、一対のトランジスタによって構成されたカレントミラー回路を用いた画素回路に関する。また、特許文献３は、有機ＥＬ素子に供給する駆動電流の設定源となる駆動トランジスタにおいて、その電流不均一性と閾値電圧変化との低減を図る画素回路に関する。
【０００５】
【特許文献１】特開２００１−６００７６号公報
【特許文献２】特開２００１−１４７６５９号公報
【特許文献３】特表２００２−５１４３２０号公報。
【発明の開示】
【発明が解決しようとする課題】
【０００６】
一般に、ディスプレイを駆動する場合、全ての表示領域を同一の駆動モードによって駆動させることが多い。しかしながら、表示品質の向上という観点でいえば、表示対象に応じて駆動モードを選択的に適用することが好ましい。例えば、テキスト表示を行う領域に対してはホールド駆動が適しており、動画表示を行う領域に対してはインパルス駆動が適している。したがって、表示部全体において、テキスト表示を行う領域と動画表示を行う領域とが混在する場合、前者の表示領域ではホールド駆動を行い、後者の表示領域ではインパルス駆動を行うことが好ましい。また、ある解像度の動画をそれよりも大きな解像度を有する表示部にて等倍表示する場合、表示部中央の動画領域に対してはインパルス駆動が適しているが、この動画領域の枠外の領域に対してはホールド駆動が適している。したがって、この場合も、表示領域毎に異なる駆動モードを採用することが好ましい。
【０００７】
本発明は、かかる事情に鑑みてなされたものであり、その目的は、駆動電流に応じた輝度で発光する電気光学素子を用いた電気光学装置において、表示対象に応じた駆動モードを採用することにより、全体的な表示品質の改善を図ることである。
【課題を解決するための手段】
【０００８】
かかる課題を解決するために、第１の発明は、複数の走査線と、複数のデータ線と、走
査線とデータ線との交差に対応して設けられた複数の画素と、走査線に走査信号を出力す
ることにより、データの書込対象となる画素に対応する走査線を選択する走査線駆動回路
と、走査線駆動回路と協働し、書込対象となる画素に対応するデータ線にデータを出力す
るデータ線駆動回路と、表示部を構成する画素のそれぞれの駆動モードを走査線毎または
表示領域毎に選択する駆動モード選択回路とを有する電気光学装置を提供する。ここで、
画素のそれぞれは、データの書き込みが行われるキャパシタと、キャパシタに書き込まれ
たデータに応じて、駆動電流を設定する駆動トランジスタと、設定された駆動電流に応じ
た輝度で発光する電気光学素子とを有する。駆動モード選択回路は、駆動モードとして第
１の駆動モードを選択した場合、書込対象となる画素に対応する走査線が選択されてから
この走査線が次に選択されるまでの期間よりも短い第１の発光期間で、電気光学素子を駆
動させる。また、駆動モード選択回路は、駆動モードとして第１の駆動モードとは異なる
第２の駆動モードを選択した場合、書込対象となる画素に対応する走査線が選択されてか
らこの走査線が次に選択されるまでの期間において、第１の発光期間よりも長い第２の発
光期間で、電気光学素子を駆動させる。
【０００９】
ここで、第１の発明において、駆動モード選択回路は、第１の駆動モード選択時には、電気光学素子をインパルス駆動させ、第２の駆動モードの選択時には、電気光学素子をホールド駆動させてもよい。
【００１０】
第１の発明において、画素のそれぞれは、電気光学素子に供給される駆動電流の電流経路中に設けられた制御トランジスタをさらに有していてもよい。この場合、駆動モード選択回路は、書込対象となる画素に対応する走査線が選択されてからこの走査線が次に選択されるまでの期間において、制御トランジスタの導通制御を行うことにより、第１の駆動モードにおける電気光学素子の駆動と、第２の駆動モードにおける電気光学素子の駆動とを行うことが好ましい。また、駆動モード選択回路は、第１の駆動モードの選択時には、書込対象となる画素に対応する走査線が選択されてからこの走査線が次に選択されるまでの期間において、制御トランジスタによって、駆動電流の電流経路を繰り返し遮断することにより、電気光学素子をインパルス駆動させてもよい。一方、駆動モード選択回路は、第２の駆動モードの選択時には、書込対象となる画素に対応する走査線が選択されてからこの走査線が次に選択されるまでの期間において、制御トランジスタによって、駆動電流の電流経路を維持することにより、電気光学素子をホールド駆動させてもよい。
【００１１】
第１の発明において、駆動モード選択回路は、第１の駆動モードの選択時には、書込対象となる画素に対応する走査線が選択されてからこの走査線が次に選択されるまでの期間において、キャパシタに書き込まれたデータによって、電気光学素子に対して駆動電流を供給した後に、キャパシタに書き込まれたデータの消去を行うことにより、電気光学素子をインパルス駆動させてもよい。また、駆動モード選択回路は、第２の駆動モードの選択時には、書込対象となる画素に対応する走査線が選択されてからこの走査線が次に選択されるまでの期間において、キャパシタに書き込まれたデータによって、電気光学素子に対して駆動電流を供給し続けることにより、電気光学素子をホールド駆動させてもよい。
【００１２】
第１の発明において、データ線駆動回路は、データ線に対して、データ電流としてデータを出力し、画素のそれぞれは、プログラミングトランジスタをさらに有していてもよい。この場合、プログラミングトランジスタは、自己のチャネルにデータ電流が流れることにより発生するゲート電圧に基づいて、キャパシタに対するデータの書き込みを行うことが好ましい。また、上記駆動トランジスタは、このプログラミングトランジスタとしての機能も兼ねていてもよい。
【００１３】
第１の発明において、データ線駆動回路は、データ線に対して、データ電圧としてデータを出力し、キャパシタに対するデータの書き込みは、データ電圧に基づいて行われてもよい。
【００１４】
第１の発明において、駆動モード選択回路は、領域あるいは複数の走査線毎に駆動モードを選択してもよいが、駆動モードを走査線単位で指定する駆動モード信号に基づいて、電気光学素子の駆動制御を行うパルス信号を走査線単位で出力してもよい。この場合、駆動モード選択回路は、第１の駆動モードの選択時には、パルス信号として、高レベルと低レベルとが交互に繰り返されるパルス形状を有する信号を出力する。また、駆動モード選択回路は、第２の駆動モードの選択時には、パルス信号として、第１の駆動モードの選択時における波形形状とは異なる波形形状を有する信号を出力する。
【００１５】
第１の発明において、駆動モード選択回路は、走査信号の変化タイミングにおいて、駆動モード信号のレベルを保持するフリップフロップと、フリップフロップに保持されたレベルに応じて、高レベルと低レベルとが交互に繰り返されるパルス形状を有する第１の駆動信号、または、第１の駆動信号とは異なる波形形状を有する第２の駆動信号のいずれかを選択して出力する選択部と、選択部より出力された信号と、走査信号と同期し、かつ、走査信号とは反対の論理レベルをとる制御信号とに基づいて、パルス信号を出力する論理回路とを有していてもよい。
【００１６】
第２の発明は、上述した第１の発明に係る構成を具備した電気光学装置を実装した電子機器を提供する。
【００１７】
第３の発明は、走査線とデータ線との交差に対応して設けられた複数の画素を有し、複数の画素のそれぞれが、データの書き込みが行われるキャパシタと、キャパシタに書き込まれたデータに応じて、駆動電流を設定する駆動トランジスタと、設定された駆動電流に応じた輝度で発光する電気光学素子とを有し、かつ、表示部を構成する画素のそれぞれの駆動モードを選択する電気光学装置の駆動方法を提供する。この駆動方法は、駆動モードとして第１の駆動モードが選択された場合、書込対象となる画素に対応する走査線が選択されてからこの走査線が次に選択されるまでの期間よりも短い第１の発光期間で、電気光学素子を駆動させる第１のステップと、駆動モードとして第１の駆動モードとは異なる第２の駆動モードが選択された場合、書込対象となる画素に対応する走査線が選択されてから当該走査線が次に選択されるまでの期間において、第１の発光期間よりも長い第２の発光期間で、電気光学素子を駆動させる第２のステップとを有する。
【００１８】
ここで、第３の発明において、第１のステップでは、電気光学素子のインパルス駆動が行われ、第２のステップでは、電気光学素子のホールド駆動が行われてもよい。
【００１９】
また、第３の発明において、画素のそれぞれは、電気光学素子に供給される駆動電流の電流経路中に設けられた制御トランジスタをさらに有していてもよい。この場合、上記第１のステップは、書込対象となる画素に対応する走査線が選択されてからこの走査線が次に選択されるまでの期間において、制御トランジスタによって、駆動電流の電流経路を繰り返し遮断することにより、電気光学素子をインパルス駆動させるステップであることが好ましい。また、上記第２のステップは、書込対象となる画素に対応する走査線が選択されてからこの走査線が次に選択されるまでの期間において、制御トランジスタによって、駆動電流の電流経路を維持することにより、電気光学素子をホールド駆動させるステップであることが好ましい。
【００２０】
第３の発明において、上記第１のステップは、書込対象となる画素に対応する走査線が選択されてからこの走査線が次に選択されるまでの期間において、キャパシタに書き込まれたデータに応じて、電気光学素子に対して駆動電流を供給した後に、キャパシタに書き込まれたデータの消去を行うことにより、電気光学素子をインパルス駆動させるステップであってもよい。この場合、上記第２のステップは、書込対象となる画素に対応する走査線が選択されてからこの走査線が次に選択されるまでの期間において、キャパシタに書き込まれたデータに応じて、電気光学素子に対して駆動電流を供給し続けることにより、電気光学素子をホールド駆動させるステップであってもよい。
【００２１】
また、第３の発明は、画素のそれぞれが、プログラミングトランジスタをさらに有するとともに、画素のそれぞれに対して、データ電流としてデータが供給される電気光学装置の駆動方法であって、プログラミングトランジスタのチャネルにデータ電流が流れることにより発生するゲート電圧に基づいて、キャパシタに対するデータの書き込みを行ってもよい。
【００２２】
さらに、第３の発明は、画素のそれぞれに対して、データ電圧としてデータが供給される電気光学装置の駆動方法であって、データ電圧に基づいて、キャパシタに対するデータの書き込みを行ってもよい。
【００２３】
第４の発明は、複数の走査線と、複数のデータ線と、走査線とデータ線との交差に対応して設けられた複数の画素と、走査線に走査信号を出力することにより、データの書込対象となる画素に対応する走査線を選択する走査線駆動回路と、走査線駆動回路と協働し、書込対象となる画素に対応するデータ線にデータを出力するデータ線駆動回路と、複数の画素のそれぞれの駆動モードを選択する駆動モード選択回路とを有する電気光学装置を提供する。ここで、複数の画素のそれぞれは、データを保持する保持手段と、保持手段に保持されたデータに応じて、駆動電流を設定する駆動素子と、設定された駆動電流に応じた輝度で発光する電気光学素子とを有する複数の画素とを有する。駆動モード選択回路は、駆動モードとして第１の駆動モードを選択した場合、書込対象となる画素に対応する走査線が選択されてからこの走査線が次に選択されるまでの期間よりも短い第１の発光期間で、電気光学素子を駆動させる。また、駆動モード選択回路は、駆動モードとして第１の駆動モードとは異なる第２の駆動モードを選択した場合、書込対象となる画素に対応する走査線が選択されてからこの走査線が次に選択されるまでの期間において、第１の発光期間よりも長い第２の発光期間で、電気光学素子を駆動させる。
【００２４】
第５の発明は、走査線とデータ線との交差に対応して設けられた複数の画素を有し、複
数の画素のそれぞれが、データを保持する保持手段と、保持手段に保持されたデータに応
じて、駆動電流を設定する駆動素子と、設定された駆動電流に応じた輝度で発光する電気
光学素子とを有し、かつ、複数の画素のそれぞれの駆動モードを走査線毎または表示領域
毎に選択する電気光学装置の駆動方法を提供する。この駆動方法は、駆動モードとして第
１の駆動モードが選択された場合、書込対象となる画素に対応する走査線が選択されてか
らこの走査線が次に選択されるまでの期間よりも短い第１の発光期間で、電気光学素子を
駆動させる第１のステップと、駆動モードとして第１の駆動モードとは異なる第２の駆動
モードが選択された場合、書込対象となる画素に対応する走査線が選択されてからこの走
査線が次に選択されるまでの期間において、第１の発光期間よりも長い第２の発光期間で
、電気光学素子を駆動させる第２のステップとを有する。
【発明の効果】
【００２５】
本発明によれば、駆動電流に応じた輝度で発光する電気光学素子を用いた電気光学装置において、表示すべき対象に応じて、異なる駆動モードを走査線単位で選択できる。これにより、それぞれの表示対象の特性に適した駆動モードを適用できるので、全体的な表示品質の向上を図ることができる。
【発明を実施するための最良の形態】
【００２６】
（第１の実施形態）
本実施形態は、電流プログラム方式を用いた電気光学装置に係り、特に、それぞれの画素がカレントミラー回路を含んでいるアクティブマトリクス型ディスプレイの表示制御に関する。ここで、「電流プログラム方式」とは、データ線に対するデータの供給を電流ベースで行う方式をいう。
【００２７】
図１は、電気光学装置のブロック構成図である。表示部１には、ｍドット×ｎライン分の画素２がマトリクス状（二次元平面的）に並んでいるとともに、水平方向に延在している水平ライン群Ｙ1〜Ｙnと、垂直方向に延在しているデータ線群Ｘ1〜Ｘmとが配置されている。１つの水平ラインＹ（ＹはＹ1〜Ｙnの任意の１つを指す）は、１本の走査線と１本の信号線で構成されており、それぞれに対して、走査信号ＳＥＬ、パルス信号ＰＬＳが出力される。それぞれの画素２は、水平ライン群Ｙ1〜Ｙnとデータ線群Ｘ1〜Ｘmとの各交差に対応して配置されている。パルス信号ＰＬＳは、ある画素２が選択されてからこの画素２が次に選択されるまでの期間（本実施形態では１垂直走査期間）において、その画素２を構成する電気光学素子の駆動制御を行う信号である。なお、本実施形態では、１つの画素２を画像の最小表示単位としているが、１つの画素２を複数のサブ画素で構成してもよい。また、図１では、各画素２に所定の固定電位Ｖdd，Ｖssを供給する電源線等が省略されている。
【００２８】
制御回路５は、図示しない上位装置より入力される垂直同期信号Ｖs、水平同期信号Ｈs、ドットクロック信号DCLKおよび階調データＤ等に基づいて、走査線駆動回路３とデータ線駆動回路４とを同期制御する。この同期制御の下、走査線駆動回路３およびデータ線駆動回路４は、互いに協働して、表示部１の表示制御を行う。
【００２９】
走査線駆動回路３は、シフトレジスタ、出力回路等を主体に構成されており、走査線に走査信号ＳＥＬを出力することによって、走査線を順番に選択していく。このような線順次走査により、１垂直走査期間において、所定の走査方向に（一般的には最上から最下に向かって）、一水平ライン分の画素群に相当する画素行が順番に選択されている。なお、走査線駆動回路３は、走査信号ＳＥＬの他に、水平ライン毎に制御信号ＬＭも出力する。制御信号ＬＭは、走査信号ＳＥＬと同期した信号であり、走査信号ＳＥＬとは制御信号ＬＭとは反対の論理レベルをとる。ただし、走査信号ＳＥＬの変化タイミングに対して、制御信号ＬＭの変化タイミングを若干ずらすこともある。
【００３０】
一方、データ線駆動回路４は、シフトレジスタ、ラインラッチ回路、出力回路等を主体に構成されている。本実施形態において、データ線駆動回路４は、電流プログラム方式を用いる関係上、画素２の表示階調に相当するデータ（データ電圧Ｖdata）をデータ電流Ｉdataへと変換する可変電流源を含む。データ線駆動回路４は、１水平走査期間において、今回データを書き込む画素行に対するデータ電流Ｉdataの一斉出力と、次の水平走査期間で書き込みを行う画素行に関するデータの点順次的なラッチとを同時に行う。ある水平走査期間において、データ線Ｘの本数に相当するｍ個のデータが順次ラッチされる。そして、次の水平走査期間において、ラッチされたｍ個のデータは、データ電流Ｉdataに変換された上で、それぞれのデータ線Ｘ1〜Ｘmに対して一斉に出力される。なお、データ線駆動回路４に対してフレームメモリ等（図示せず）から直接データを線順次的に入力する構成でも本発明を適用できるが、その場合においても本発明の主眼とする部分の動作は同様であるので説明を省略する。この場合、データ線駆動回路４にシフトレジスタを含む必要がなくなる。
【００３１】
また、制御回路５は、駆動モード選択回路６に対して、２種類の駆動信号ＩＮＰ1，ＩＮＰ2と、駆動モード信号ＤＲＴＭとを出力する。ここで、第１の駆動信号ＩＮＰ1は、高レベル（以下「Ｈレベル」という）と低レベル（以下「Ｌレベル」という）とが交互に繰り返されるパルス状の信号である。また、第２の駆動信号ＩＮＰ2は、第１の駆動信号ＩＮＰ1とは波形形状が異なる信号であり、Ｈレベルのデューティ比（単位時間に占めるＨレベル時間の割合）が第１の駆動信号ＩＮＰ1のそれよりも大きい。本実施形態では、第２の駆動信号ＩＮＰ2として、このデューティ比が100％であるホールド信号（常時Ｈレベルの信号）を用いている。ただし、これは一例であって、後述するようにデューティ比は必ずしも100％である必要はない。
【００３２】
駆動モード選択回路６は、表示部１を構成する各画素２の駆動モードを走査線単位、換言すれば、画素行（１水平ライン分の画素群）単位で指定する。具体的には、駆動モード選択回路６は、駆動モードを走査線単位で指定する駆動モード信号ＤＲＴＭに基づいて、電気光学素子の駆動制御を行うパルス信号ＰＬＳを走査線単位で出力する。図２は、駆動モード信号ＤＲＴＭの説明図である。この駆動モード信号ＤＲＴＭは、走査線駆動回路３の線順次走査と同期しており、Ｌレベルがホールド駆動を指定し、Ｈレベルがインパルス駆動を指定する。一例として、表示領域Ｂで動画表示を行い、その上下の表示領域Ａ，Ｃでテキスト表示を行うケースについて考える。表示領域Ａを構成する走査線群が順次選択される期間ｔ0〜ｔ1では、駆動モード信号ＤＲＴＭがＬレベルである。したがって、表示領域Ａでは、テキスト表示に適したホールド駆動が行われる。つぎに、表示領域Ｂを構成する走査線群が順次選択される期間ｔ1〜ｔ2では、駆動モード信号ＤＲＴＭがＨレベルとなる。したがって、表示領域Ｂでは、動画表示に適したインパルス駆動が行われる。そして、表示領域Ｃを構成する走査線群が順次選択される期間ｔ2〜ｔ3では、駆動モード信号ＤＲＴＭが再びＬレベルとなる。したがって、表示領域Ｃでは、テキスト表示に適したホールド駆動が行われる。また、別の例として、ある解像度（例えば1280×1024）を有する表示部１に、その解像度よりも小さな解像度（例えば1024×768）の動画を等倍表示するケースについて考える。このケースも、上述したケースと同様、表示領域Ｂではインパルス駆動を行い、表示領域Ａ，Ｃではホールド駆動を行うことが好ましい。したがって、駆動モード信号ＤＲＴＭは、表示領域Ｂを構成する走査線群が順次選択される期間ｔ1〜ｔ2ではＨレベルになり、その他の期間ｔ0〜ｔ1，ｔ2〜ｔ3ではＬレベルとなる。
【００３３】
なお、駆動モード信号ＤＲＴＭは、制御回路５の上位装置からの信号に基づいて生成される。例えば、動画と静止画との区別や表示解像度の指定等については外部ＣＰＵ等からの指示を受ける。制御回路５は、この指示に基づいて、駆動モード信号ＤＲＴＭを生成する。
【００３４】
図３は、本実施形態に係る画素２の回路図である。１つの画素２は、有機ＥＬ素子OLED、４つのトランジスタＴ1，Ｔ2，Ｔ4，Ｔ5、および、データを保持するキャパシタＣによって構成されている。なお、本実施形態に係る画素回路では、ｎチャネル型のトランジスタＴ1，Ｔ2，Ｔ5とｐチャネル型のトランジスタＴ4とが用いられているが、これは一例であって、本発明はこれに限定されるものではない。
【００３５】
第１のスイッチングトランジスタＴ1のゲートは、走査信号ＳＥＬが供給される走査線に接続され、そのソースは、データ電流Ｉdataが供給されるデータ線Ｘ（ＸはＸ1〜Ｘmの任意の１本を指す）に接続されている。第１のスイッチングトランジスタＴ1のドレインは、第２のスイッチングトランジスタＴ2のソースと、駆動素子の一形態である駆動トランジスタＴ4のドレインと、制御素子の一形態である制御トランジスタＴ5のドレインとに共通接続されている。第２のスイッチングトランジスタＴ2のゲートは、第１のスイッチングトランジスタＴ1と同様に、走査信号ＳＥＬが供給される走査線に接続されている。第２のスイッチングトランジスタＴ2のドレインは、キャパシタＣの一方の電極と、駆動トランジスタＴ4のゲートとに共通接続されている。キャパシタＣの他方の電極と駆動トランジスタＴ4のソースとには、電源電位Ｖddが印加されている。パルス信号ＰＬＳがゲートに供給された制御トランジスタＴ5は、駆動トランジスタＴ4のドレインと有機ＥＬ素子OLEDのアノード（陽極）との間に設けられている。この有機ＥＬ素子OLEDのカソード（陰極）には、電位Ｖssが印加されている。
【００３６】
図４は、本実施形態に係る画素２の駆動タイミングチャートである。走査線駆動回路３の線順次走査によって、ある画素２の選択が開始されるタイミングをｔ0とし、その画素２の選択が次に開始されるタイミングをｔ2とする。この１垂直走査期間ｔ0〜ｔ2は、前半のプログラミング期間ｔ0〜ｔ1と、後半の駆動期間ｔ1〜ｔ2とに分けられる。
【００３７】
まず、プログラミング期間t0〜ｔ1では、線順次走査による画素２の選択によって、キャパシタＣに対するデータの書き込みが行われる。タイミングｔ0において、走査信号ＳＥＬがＨレベルに立ち上がり、スイッチングトランジスタＴ1，Ｔ2が共にオンする。これにより、データ線Ｘと駆動トランジスタＴ4のドレインとが電気的に接続されるとともに、駆動トランジスタＴ4は、自己のゲートと自己のドレインとが電気的に接続されたダイオード接続となる。これにより、駆動トランジスタＴ4は、データ線Ｘより供給されたデータ電流Ｉdataを自己のチャネルに流し、このデータ電流Ｉdataに応じたゲート電圧Ｖgを自己のゲートに発生させる。駆動トランジスタＴ4のゲートに接続されたキャパシタＣには、発生したゲート電圧Ｖgに応じた電荷が蓄積され、データが書き込まれる。このように、プログラミング期間ｔ0〜ｔ1において、駆動トランジスタＴ4は、キャパシタＣにデータを書き込むプログラミングトランジスタとして機能する。
【００３８】
プログラミング期間ｔ0〜ｔ1では、ホールド駆動またはインパルス駆動のどちらで画素２を駆動させるかに拘わらず、パルス信号ＰＬＳがＬレベルに維持されているため、制御トランジスタＴ5はオフのままである。したがって、有機ＥＬ素子OLEDに対する駆動電流Ｉoledの電流経路が遮断され続けるため、この期間ｔ0〜ｔ1において、有機ＥＬ素子OLEDは発光しない。
【００３９】
つぎに、駆動期間ｔ1〜ｔ2では、キャパシタＣに蓄積された電荷に応じた駆動電流Ｉoledが有機ＥＬ素子OLEDを流れ、駆動モードに応じて、有機ＥＬ素子OLEDが発光する。まず、駆動開始タイミングｔ1において、走査信号ＳＥＬがＬレベルに立ち下がり、スイッチングトランジスタＴ1，Ｔ2が共にオフする。これにより、データ電流Ｉdataが供給されたデータ線Ｘと駆動トランジスタＴ4のドレインとが電気的に分離され、駆動トランジスタＴ4のゲートとドレインとの間も電気的に分離される。駆動トランジスタＴ4のゲートには、キャパシタＣの蓄積電荷に応じて、ゲート電圧Ｖg相当が印加される。
【００４０】
タイミングｔ1における走査信号ＳＥＬの立ち下がりと同期して、それ以前はＬレベルだったパルス信号ＰＬＳの波形は、画素２の駆動モードに応じて、パルス状またはホールド状のいずれかに変化する。上述した駆動モード信号ＤＲＴＭによってインパルス駆動が指示されている場合（ＤＲＴＭ＝Ｈ）、パルス信号ＰＬＳは、ＨレベルとＬレベルとが交互に繰り返されるパルス状の波形となる。このパルス波形は、画素２の次の選択が開始されるタイミングｔ2に至るまで継続される。これにより、パルス信号ＰＬＳによって導通制御される制御トランジスタＴ5は、オンとオフとを交互に繰り返すことになる。制御トランジスタＴ5がオンの場合、電源電位Ｖddから電位Ｖssに向かって、駆動トランジスタＴ4と制御トランジスタＴ5と有機ＥＬ素子OLEDとを介した駆動電流Ｉoledの電流経路が形成される。有機ＥＬ素子OLEDを流れる駆動電流Ｉoledは、その電流値を設定する駆動トランジスタＴ4のチャネル電流に相当し、キャパシタＣの蓄積電荷に起因したゲート電圧Ｖgによって制御される。有機ＥＬ素子OLEDは、駆動電流Ｉoledに応じた輝度で発光する。一方、制御トランジスタＴ5がオフの場合、駆動電流Ｉoledの電流経路が制御トランジスタＴ5によって強制的に遮断される。したがって、制御トランジスタＴ5のオフ期間では、有機ＥＬ素子OLEDの発光が一時的に停止し、黒表示となる。このように、インパルス駆動時における駆動期間ｔ1〜ｔ2では、制御トランジスタＴ5の導通制御によって、駆動電流Ｉoledの電流経路が繰り返し遮断されるため、有機ＥＬ素子OLEDの発光と非発光とが繰り返される（インパルス駆動）。なお、インパルス駆動による有機ＥＬ素子OLEDの発光期間は、パルス信号ＰＬＳのデューティ比、換言すれば、第１の駆動信号ＩＮＰ1のデューティ比によって決定される。
【００４１】
一方、駆動モード信号ＤＲＴＭによってホールド駆動が指示されている場合（ＤＲＴＭ＝Ｌ）、パルス信号ＰＬＳは、常時Ｈレベルのホールド状となる。この状態は、画素２の次の選択が開始されるタイミングｔ2に至るまで継続される。これにより、制御トランジスタＴ5は常時オンとなるため、電源電位Ｖddから電位Ｖssに向かって、駆動トランジスタＴ4と制御トランジスタＴ5と有機ＥＬ素子OLEDとを介した駆動電流Ｉoledの電流経路が形成され、この状態が維持される。したがって、ホールド駆動時における駆動期間ｔ1〜ｔ2では、制御トランジスタＴ5が常時オンすることにより、有機ＥＬ素子OLEDは、駆動電流Ｉoledに応じた輝度で発光し続ける（ホールド駆動）。なお、ホールド駆動による有機ＥＬ素子OLEDの発光期間は、パルス信号ＰＬＳのデューティ比、換言すれば、第２の駆動信号ＩＮＰ2のデューティ比によって決定される。本実施形態では、第２の駆動信号ＩＮＰ2がホールド信号である。したがって、有機ＥＬ素子OLEDは、インパルス駆動時の発光期間よりも長い期間で（本実施形態では常時）、発光する。
【００４２】
駆動モード選択回路６は、それぞれの水平ラインに対応して（すなわち走査線単位で）設けられている。それぞれの選択回路６は、制御回路５からの信号ＤＲＴＭ，ＩＮＰ1，ＩＮＰ2と、走査線駆動回路３からの信号ＳＥＬ，ＬＭとに基づいて、パルス信号ＰＬＳを走査線単位で発生・出力する。図５は、駆動モード選択回路６の回路図である。駆動モード選択回路６は、Ｄフリップフロップ６ａ（Ｄ−ＦＦ）と、一対のトランスミッションゲート６ｂ，６ｃ、２つのインバータ６ｄ，６ｅおよびＮＡＮＤゲート６ｆで構成されている。
【００４３】
Ｄフリップフロップ６ａのＤ入力は、駆動モード信号ＤＲＴＭが供給される信号線に接続されており、そのＣ入力は、走査信号ＳＥＬ(n)が供給される走査線に接続されている。ここで、走査信号ＳＥＬ(n)は、ｎ番目の走査線に対して出力される走査信号ＳＥＬである（(n)の意味は後述する各信号についても同様）。Ｄフリップフロップ６ａは、Ｃ入力の走査信号ＳＥＬ(n)の立ち上がりタイミングにおいて、Ｄ入力の駆動モード信号ＤＲＴＭのレベル状態を記憶し、記憶したレベル状態を信号ＤＲＭＤ(n)としてＱ出力より出力する。
【００４４】
また、Ｄフリップフロップ６ａのＱ出力（信号ＤＲＭＤ(n)）は、一対のトランスミッションゲート６ｂ，６ｃを主体に構成された選択部６ｇに出力される。具体的には、このＱ出力は、トランスミッションゲート６ｂの一部を構成するｎチャネル型トランジスタのゲートと、トランスミッションゲート６ｃの一部を構成するｐチャネル型トランジスタのゲートとに供給される。また、Ｑ出力は、インバータ６ｄによってレベル反転された後、トランスミッションゲート６ｂのｐチャネル型トランジスタのゲートと、トランスミッションゲート６ｃのｎチャネル型トランジスタのゲートとに供給される。また、一方のトランスミッションゲート６ｂの入力端には、インパルス状の第１の駆動信号ＩＮＰ1が供給され、他方のトランスミッションゲート６ｃの入力端には、ホールド状の第２の駆動信号ＩＮＰ2が供給される。一対のトランスミッションゲート６ｂ，６ｃは、ｐチャネル型トランジスタにＬレベルのゲート信号が与えられ、かつ、ｎチャネルトランジスタにＨレベルのゲート信号が与えられた場合に、オン状態となる。したがって、フリップフロップ６ａのＱ出力レベルに応じて、どちらか一方のトランスミッションゲート６ｂ,６ｃが択一的にオンになり、駆動信号ＩＮＰ1，ＩＮＰ2のいずれかがトランスミッションゲート６ｂ,６ｃより出力される。
【００４５】
ＮＡＮＤゲート６ｆは、選択部６ｇからの出力信号と、走査線駆動回路３からの制御信号ＬＭとを入力として、両者の排他的論理和を演算する。そして、その演算結果はインバータ６ｅによってレベル反転された後、パルス信号ＰＬＳ(n)として、対応する画素行に出力される。
【００４６】
つぎに、図６に示すタイミングチャートを参照しながら、線順次走査による表示部１の表示制御について説明する。このタイミングチャートは、図２に示したように、表示領域Ａ，Ｃでホールド駆動を行い、表示領域Ｂでインパルス駆動を行うケースに関するものである。走査線駆動回路３は、１垂直走査期間ｔ0〜ｔ3において、最上の走査線から最下の走査線に向かって、走査信号ＳＥＬのレベルを順番にＨレベルにすることにより、走査線を１本ずつ選択していく。
【００４７】
まず、ホールド駆動が行われる表示領域Ａに位置的に対応する任意の走査線ａについて説明する。表示領域Ａ内に含まれる走査線ａを線順次走査する期間において、駆動モード信号ＤＲＴＭは、ホールド駆動を指示するＬレベルに設定されている。走査線駆動回路３は、走査線ａの選択開始タイミングにおいて、この走査線ａに供給する走査信号ＳＥＬ(a)をＬレベルからＨレベルに立ち上げ、このＨレベルを１水平走査期間分だけ維持する。それとともに、走査線駆動回路３は、走査信号ＳＥＬ(a)の立ち上がりタイミングと同期して、制御信号ＬＭ(a)をＨレベルからＬレベルに立ち下げ、このＬレベルを１水平走査期間分だけ維持する。図５に示したＤフリップフロップ６ａは、走査信号ＳＥＬ(a)の変化タイミング（本実施形態では、立ち上がりタイミング）において、駆動モード信号ＤＲＴＭのレベル、すなわち、Ｌレベルを保持する。これにより、Ｄフリップフロップ６ａは、出力信号ＤＲＭＤ(a)としてＬレベルを出力する。この出力信号ＤＲＭＤ(a)がＬレベルの場合、後段の選択部６ｇは、ホールド状の第２の駆動信号ＩＮＰ2を選択し、第２の駆動信号ＩＮＰ2を後段のＮＡＮＤゲート６ｆに出力する。ＮＡＮＤゲート６ｆは、走査信号ＳＥＬ(a)と反対の論理レベルを取る制御信号ＬＭ(a)がＬレベルの間、選択部６ｇからの出力に依存することなく、Ｈレベルを出力する。したがって、この期間において、インバータ６ｅからの出力であるパルス信号ＰＬＳ(a)はＬレベルとなる。パルス信号ＰＬＳがＬレベルになる期間は、上述したプログラミング期間ｔ0〜ｔ1に相当する（図４参照）。その後、制御信号ＬＭ(a)がＨレベルになると、ＮＡＮＤゲート６ｆは、選択部６ｇから出力された第２の駆動信号ＩＮＰ2とは反対の論理レベル（Ｌレベル）を出力する。したがって、制御信号ＬＭ(a)がＨレベルの期間において、パルス信号ＰＬＳ(a)として、第２の駆動信号ＩＮＰ2と同様の波形、すなわち、常時Ｈレベルのホールド信号が出力される。パルス信号ＰＬＳ(a)がＨレベルになる期間は、上述した駆動期間ｔ1〜ｔ2に相当する（図４参照）。この駆動期間ｔ1〜ｔ2では、制御トランジスタＴ5が常時オンするため、有機ＥＬ素子OLEDのホールド駆動が行われる。
【００４８】
つぎに、インパルス駆動が行われる表示領域Ｂに位置的に対応する任意の走査線ｂについて説明する。表示領域Ｂ内に含まれる走査線ｂを線順次走査する期間において、駆動モード信号ＤＲＴＭは、インパルス駆動を指示するＨレベルに設定されている。走査線駆動回路３は、走査線ｂの選択開始タイミングにおいて、この走査線ｂに供給する走査信号ＳＥＬ(b)をＬレベルからＨレベルに立ち上げるとともに、これと同期して、制御信号ＬＭ(b)をＨレベルからＬレベルに立ち下げる。走査線ｂに対応する駆動モード選択回路６において、Ｄフリップフロップ６ａは、走査信号ＳＥＬ(b)の立ち上がり時における駆動モード信号ＤＲＴＭのレベル、すなわち、Ｈレベルを保持する。これにより、Ｄフリップフロップ６ａは、出力信号ＤＲＭＤ(b)としてＨレベルを出力する。この出力信号ＤＲＭＤ(a)がＨレベルの場合、後段の選択部６ｇは、インパルス状の第１の駆動信号ＩＮＰ1を選択し、第１の駆動信号ＩＮＰ1を後段のＮＡＮＤゲート６ｆに出力する。ＮＡＮＤゲート６ｆは、制御信号ＬＭ(b)がＬレベルの間、選択部６ｇからの出力に依存することなく、Ｈレベルを出力する。したがって、プログラミング期間ｔ0〜ｔ1において、インバータ６ｅからの出力であるパルス信号ＰＬＳ(b)はＬレベルとなる。その後、制御信号ＬＭ(b)がＨレベルになると、ＮＡＮＤゲート６ｆは、選択部６ｇから出力された第１の駆動信号ＩＮＰ1とは反対の論理レベルのパルス状の信号を出力する。したがって、制御信号ＬＭ(b)がＨレベルの期間において、パルス信号ＰＬＳ(a)として、第１の駆動信号ＩＮＰ1と同様の波形、すなわち、パルス状のインパルス信号が出力される。パルス信号ＰＬＳ(b)がパルス状になる期間ｔ1〜ｔ2では、制御トランジスタＴ5のオンとオフとが繰り返されるため、有機ＥＬ素子OLEDのインパルス駆動が行われる。
【００４９】
そして、ホールド駆動が行われる表示領域Ｃに位置的に対応する任意の走査線ｃの動作は、上述した表示領域Ａと同様であり、結果的に、有機ＥＬ素子OLEDのホールド駆動が行われる。
【００５０】
このように、本実施形態によれば、表示部１に表示すべき対象に応じた駆動モードを、走査線単位で選択できるため、表示部１の全体的な表示品質の一層の向上を図ることができる。すなわち、インパルス駆動すべき画素２に関しては、書込対象となる画素２に対応する走査線が選択されてからこの走査線が次に選択されるまでの期間よりも短い第１の発光期間で、有機ＥＬ素子OLEDを駆動させる。また、ホールド駆動すべき画素２に関しては、書込対象となる画素２に対応する走査線が選択されてからこの走査線が次に選択されるまでの期間において、第１の発光期間よりも長い第２の発光期間で、有機ＥＬ素子OLEDを駆動させる。これにより、例えば、ある表示領域Ａ，Ｃにホールド駆動に適した表示対象を表示させる場合、その表示領域Ａ，Ｃに含まれる水平ライン群に関しては、有機ＥＬ素子OLEDの発光が継続される。これは、駆動電流Ｉoledの電流経路中に設けられた制御トランジスタＴ5を、画素２が選択されてから次に選択されるまでの期間（本実施形態では、その内の駆動期間ｔ1〜ｔ2）、常時オンさせておくことにより達成される。また、別の表示領域Ｂにインパルス駆動に適した表示対象を表示させる場合、その表示領域Ｂに含まれる水平ライン群に関しては、有機ＥＬ素子OLEDの発光が断続的に繰り返される。これは、駆動電流Ｉoledの電流経路中に設けられた制御トランジスタＴ5を、駆動期間ｔ1〜ｔ2において、オンとオフとを交互に繰り返すことにより達成される。したがって、表示領域Ｂでは、画素２の光学応答をインパルス型に近づけることができ、かつ、有機ＥＬ素子OLEDが非発光となる期間（黒表示の期間）が分散されるため、表示画像のちらつきの低減を図ることができる。それとともに、画素２の光学応答を改善することにより、動画表示等における疑似輪郭の発生も有効に抑制可能となる。
【００５１】
また、本実施形態によれば、走査線駆動回路３および駆動モード選択回路６の双方を含む走査線駆動系のみで、上述した駆動モードの選択を実現できる。したがって、この選択機能の付加に伴う回路規模の増大を抑制することができる。
【００５２】
なお、上述した実施形態では、第１の駆動信号ＩＮＰ1をインパルス信号とし、第２の駆動信号ＩＮＰ2をホールド信号とする例について説明した。しかしながら、後述する各実施形態も含めて、第２の駆動信号ＩＮＰ2は、ホールド信号である必要性は必ずしもなく、例えば、図７に示すように、第１の駆動信号ＩＮＰ1とは波形形状（デューティ比）が異なるパルス信号であってもよい。これにより、有機ＥＬ素子OLEDの駆動制御を行うパルス信号ＰＬＳの波形を変えられる。その結果、制御トランジスタＴ5の導通制御によって、時間平均の表示輝度を可変に設定できるため、表示部１の全体的な表示品質の改善を図ることが可能となる。なお、インパルス駆動を示すＩＮＰ1の波形形状について、１フレーム中にＨ，Ｌの切り換わりが複数回繰り返される波形の例を示したが、後述する各実施形態を含め、１フレーム内のＨ，Ｌの切り換わりが１回だけの波形であってもよい。その場合、信号駆動に伴う電気的ノイズを低減できるので、回路の信頼性向上という効果が得られる。
【００５３】
また、上述した実施形態では、表示部１に３つの表示領域Ａ〜Ｃを設定する例について説明した。しかしながら、本発明は、これに限定されるものではなく、駆動モード信号ＤＲＴＭによって、表示領域の分割数、分割位置、または駆動モードの指定を任意に設定することが可能である。
【００５４】
（第２の実施形態）
本実施形態は、電流プログラム方式を用いた電気光学装置に係り、特に、カレントミラー回路を用いた画素回路に関する。なお、後述する各実施形態を含めて、電気光学装置の全体構成は、基本的には、１つの水平ラインＹの構成を除いて、図１と同様である。本実施形態において、１つの水平ラインＹは、走査信号ＳＥＬ1，ＳＥＬ2がそれぞれ供給される２本の走査線と、パルス信号ＰＬＳが供給される１本の信号線とによって構成されている。なお、走査信号ＳＥＬ1，ＳＥＬ2は、基本的に、互いに反対の論理レベルをとるが、一方の変化タイミングを若干ずらすこともある。
【００５５】
図８は、本実施形態に係る画素２の回路図である。１つの画素２は、有機ＥＬ素子OLED、能動素子である５つのトランジスタＴ1〜Ｔ5およびキャパシタＣによって構成されている。ダイオードとして表記された有機ＥＬ素子OLEDは、自己に供給された駆動電流Ｉoledによって発光輝度が制御される電流駆動型の素子である。なお、この画素回路では、ｎチャネル型のトランジスタＴ1，Ｔ5と、ｐチャネル型のトランジスタＴ2〜Ｔ4とが用いられているが、これは一例であって、本発明はこれに限定されるものではない。
【００５６】
第１のスイッチングトランジスタＴ1のゲートは、第１の走査信号ＳＥＬ1が供給される走査線に接続され、そのソースは、データ電流Ｉdataが供給されるデータ線Ｘに接続されている。また、第１のスイッチングトランジスタＴ1のドレインは、第２のスイッチングトランジスタＴ2のドレインと、プログラミングトランジスタＴ3のドレインとに共通接続されている。第２の走査信号ＳＥＬ2がゲートに供給された第２のスイッチングトランジスタＴ2のソースは、カレントミラー回路を構成する一対のトランジスタＴ3，Ｔ4のゲートと、キャパシタＣの一方の電極とに共通接続されている。プログラミングトランジスタＴ3のソース、駆動トランジスタＴ4のソースおよびキャパシタＣの他方の電極には、電源電位Ｖddが印加されている。パルス信号ＰＬＳがゲートに供給された制御トランジスタＴ5は、駆動電流Ｉoledの電流経路中、具体的には、駆動トランジスタＴ4のドレインと有機ＥＬ素子OLEDのアノードとの間に設けられている。この有機ＥＬ素子OLEDのカソードには、電源電位Ｖddより低い電位Ｖssが印加されている。プログラミングトランジスタＴ3および駆動トランジスタＴ4は、両者のゲートが互いに接続されたカレントミラー回路を構成している。したがって、プログラミングトランジスタＴ3のチャネルを流れるデータ電流Ｉdataの電流レベルと、駆動トランジスタＴ4のチャネルを流れる駆動電流Ｉoledの電流レベルとは、比例関係になる。
【００５７】
図９は、本実施形態に係る画素２の駆動タイミングチャートである。上述した実施形態と同様、１垂直走査期間ｔ0〜ｔ2は、プログラミング期間ｔ0〜ｔ1と駆動期間ｔ1〜ｔ2とに分けられる。
【００５８】
まず、プログラミング期間t0〜ｔ1では、画素２の選択によって、キャパシタＣに対するデータの書き込みが行われる。タイミングｔ0において、第１の走査信号ＳＥＬ1がＨレベルに立ち上がり、第１のスイッチングトランジスタＴ1がオンする。これにより、データ線ＸとプログラミングトランジスタＴ3のドレインとが電気的に接続される。この第１の走査信号ＳＥＬ1の立ち上がりと同期して、第２の走査信号ＳＥＬ2が低レベルに立ち下がって、第２のスイッチングトランジスタＴ2もオンする。これにより、プログラミングトランジスタＴ3は、自己のゲートが自己のドレインに接続されたダイオード接続となり、非線形な抵抗素子として機能する。したがって、プログラミングトランジスタＴ3は、データ線Ｘより供給されたデータ電流Ｉdataを自己のチャネルに流し、データ電流Ｉdataに応じたゲート電圧Ｖgを自己のゲートに発生させる。プログラミングトランジスタＴ3のゲートに接続されたキャパシタＣには、発生したゲート電圧Ｖgに応じた電荷が蓄積され、データが書き込まれる。
【００５９】
プログラミング期間ｔ0〜ｔ1では、パルス信号ＰＬＳがＬレベルに維持されているため、制御トランジスタＴ5はオフのままである。したがって、カレントミラー回路を構成する一対のトランジスタＴ3，Ｔ4の閾値の関係に拘わらず、有機ＥＬ素子OLEDに対する電流経路が遮断され続ける。そのため、この期間ｔ0〜ｔ1において、有機ＥＬ素子OLEDは発光しない。
【００６０】
つぎに、駆動期間ｔ1〜ｔ2では、キャパシタＣに蓄積された電荷に応じた駆動電流Ｉoledが有機ＥＬ素子OLEDを流れ、駆動モードに応じて、有機ＥＬ素子OLEDが発光する。まず、駆動開始タイミングｔ1において、第１の走査信号ＳＥＬ1がＬレベルに立ち下がり、第２の走査信号ＳＥＬ2がＨレベルに立ち上がることによって、スイッチングトランジスタＴ1，Ｔ2が共にオフする。これにより、データ電流Ｉdataが供給されたデータ線Ｘと駆動トランジスタＴ4のドレインとが電気的に分離され、駆動トランジスタＴ4のゲートとドレインとの間も電気的に分離される。駆動トランジスタＴ4のゲートには、キャパシタＣの蓄積電荷に応じて、ゲート電圧Ｖg相当が印加される。
【００６１】
タイミングｔ1における第１の走査信号ＳＥＬ1の立ち下がりと同期して、それ以前はＬレベルだったパルス信号ＰＬＳの波形は、画素２の駆動モードに応じて、パルス状またはホールド状のいずれかに変化する。上述した駆動モード信号ＤＲＴＭによってインパルス駆動が指示されている場合（ＤＲＴＭ＝Ｈ）、パルス信号ＰＬＳはパルス波形となる。これにより、インパルス駆動時における駆動期間ｔ1〜ｔ2では、駆動電流Ｉoledの電流経路中に設けられた制御トランジスタＴ5のオンとオフとが繰り返されるため、駆動電流Ｉoledの電流経路が繰り返し遮断される。その結果、有機ＥＬ素子OLEDのインパルス駆動が行われる。一方、駆動モード信号ＤＲＴＭによってホールド駆動が指示されている場合（ＤＲＴＭ＝Ｌ）、パルス信号ＰＬＳは、常時Ｈレベルのホールド状となる。これにより、ホールド駆動時における駆動期間ｔ1〜ｔ2では、制御トランジスタＴ5が常時オンするため、駆動電流Ｉoledの電流経路が維持される。その結果、有機ＥＬ素子OLEDのホールド駆動が行われる。
【００６２】
このように、本実施形態によれば、表示部１に表示すべき対象に応じた駆動モードを走査線単位で選択できる。したがって、第１の実施形態と同様に、表示部１の全体的な表示品質の一層の向上を図ることができるとともに、この選択機能の付加に伴う回路規模の増大を抑制することができる。
【００６３】
また、本実施形態によれば、駆動電流Ｉoledの電流経路中に制御トランジスタＴ5を設けることにより、カレントミラー回路を構成する一対のトランジスタＴ3，Ｔ4の閾値の制約を解消できる。上述した特許文献１に開示されたカレントミラー回路を有する画素回路では、駆動電流Ｉoledの電流経路中に、制御トランジスタＴ5が設けられていない。そのため、駆動トランジスタＴ4の閾値は、プログラミングトランジスタＴ3の閾値よりも低くならないように設定する必要がある。なぜなら、この関係を具備しない場合、キャパシタＣに対するデータの書き込みが十分に完了しないうちに、駆動トランジスタＴ4がオンしてしまい、これに起因したリーク電流によって、有機ＥＬ素子OLEDが発光してしまうからである。さらに、駆動トランジスタＴ４を完全にオフすることができずに有機EL素子OLEDを完全に消灯できない、つまり「黒」表示ができないという問題が発生する場合がある。これに対して、本実施形態のように、駆動電流Ｉoledの電流経路中に制御トランジスタＴ5を追加し、プログラミング期間ｔ0〜ｔ1中、これをオフさせておけば、トランジスタＴ3，Ｔ4の閾値の関係に依存することなく、駆動電流Ｉoledの電流経路を強制的に遮断できる。その結果、プログラミング期間ｔ0〜ｔ1において、駆動トランジスタＴ4のリーク電流に起因した有機ＥＬ素子OLEDの発光を確実に防止でき、表示品質の一層の向上を図ることができる。また、第２のスイッチングトランジスタＴ２をｎチャネル型に変更してＴ２のゲートに走査信号ＳＥＬ１を接続する構成でも同様の効果が得られる。その場合は走査線ＳＥＬ１が不要となるので画素を構成する回路規模が小さくなり、歩留まり向上や開口率向上に貢献できる。
【００６４】
（第３の実施形態）
本実施形態は、駆動トランジスタがプログラミングトランジスタとしての機能も担う、電流プログラム方式における画素回路の構成に関する。本実施形態において、１つの水平ラインＹは、走査信号ＳＥＬが供給される１本の走査線と、パルス信号ＰＬＳが供給される１本の信号線とによって構成されている。
【００６５】
図１０は、本実施形態に係る画素２の回路図である。１つの画素２は、有機ＥＬ素子OLED、４つのトランジスタＴ1，Ｔ2，Ｔ4，Ｔ5およびキャパシタＣによって構成されている。なお、本実施形態に係る画素回路において、トランジスタＴ1，Ｔ2，Ｔ4，Ｔ5のタイプはすべてｐチャネル型であるが、これは一例であって、本発明はこれに限定されるものではない。
【００６６】
第１のスイッチングトランジスタＴ1のゲートは、走査信号ＳＥＬが供給される走査線に接続され、そのソースは、データ電流Ｉdataが供給されるデータ線Ｘに接続されている。第１のスイッチングトランジスタＴ1のドレインは、制御トランジスタＴ5のドレインと、駆動トランジスタＴ4のソースと、キャパシタＣの一方の電極とに共通接続されている。キャパシタＣの他方の電極は、駆動トランジスタＴ4のゲートと、第２のスイッチングトランジスタＴ2のソースとに共通接続されている。第２のスイッチングトランジスタＴ2のゲートは、第１のスイッチングトランジスタＴ1と同様に、走査信号ＳＥＬが供給される走査線に接続されている。第２のスイッチングトランジスタＴ2のドレインは、駆動トランジスタＴ4のドレインと、有機ＥＬ素子OLEDのアノードとに共通接続されている。この有機ＥＬ素子OLEDのカソードには、電位Ｖssが印加されている。制御トランジスタＴ5のゲートは、パルス信号ＰＬＳが供給される信号線に接続され、そのソースには、電源電位Ｖddが印加されている。
【００６７】
図１１は、本実施形態に係る画素２の駆動タイミングチャートである。図１０の画素回路では、１垂直走査期間ｔ0〜ｔ2のほぼ全体に亘って、有機ＥＬ素子OLEDに電流が流れるため、有機ＥＬ素子OLEDが発光する。上述した実施形態と同様に、１垂直走査期間ｔ0〜ｔ2は、プログラミング期間ｔ0〜ｔ1と駆動期間ｔ1〜ｔ2とに分けられる。
【００６８】
まず、プログラミング期間t0〜ｔ1では、画素２の選択によって、キャパシタＣに対するデータの書き込みが行われる。タイミングｔ0において、走査信号ＳＥＬがＬレベルに立ち下がり、スイッチングトランジスタＴ1，Ｔ2が共にオンする。これにより、データ線Ｘと駆動トランジスタＴ4のソースとが電気的に接続されるとともに、駆動トランジスタＴ4は、自己のゲートと自己のドレインとが電気的に接続されたダイオード接続となる。これにより、駆動トランジスタＴ4は、データ線Ｘより供給されたデータ電流Ｉdataを自己のチャネルに流し、このデータ電流Ｉdataに応じたゲート電圧Ｖgを自己のゲートに発生させる。駆動トランジスタＴ4のゲートとソースとの間に接続されたキャパシタＣには、発生したゲート電圧Ｖgに応じた電荷が蓄積され、データが書き込まれる。このように、プログラミング期間ｔ0〜ｔ1において、駆動トランジスタＴ4は、キャパシタＣにデータを書き込むプログラミングトランジスタとして機能する。
【００６９】
プログラミング期間ｔ0〜ｔ1では、パルス信号ＰＬＳがＨレベルに維持されているため、制御トランジスタＴ5はオフのままである。したがって、電源電位Ｖddから電位Ｖssに向かう駆動電流Ｉoledの電流経路自体は遮断され続ける。しかしながら、データ線Ｘと電位Ｖssとの間に、第１のスイッチングトランジスタＴ1と駆動トランジスタＴ4と有機ＥＬ素子OLEDとを介した、データ電流Ｉdataの電流経路が形成される。したがって、プログラミング期間ｔ0〜ｔ1においても、データ電流Ｉdataに応じた輝度で有機ＥＬ素子OLEDが発光する。
【００７０】
つぎに、駆動期間ｔ1〜ｔ2では、キャパシタＣに蓄積された電荷に応じた駆動電流Ｉoledが有機ＥＬ素子OLEDを流れ、有機ＥＬ素子OLEDが発光する。まず、駆動開始タイミングｔ1において、走査信号ＳＥＬがＨレベルに立ち上がり、スイッチングトランジスタＴ1，Ｔ2が共にオフする。これにより、データ電流Ｉdataが供給されたデータ線Ｘと駆動トランジスタＴ4のソースとが電気的に分離され、駆動トランジスタＴ4のゲートとドレインとの間も電気的に分離される。駆動トランジスタＴ4のゲートには、キャパシタＣの蓄積電荷に応じて、ゲート電圧Ｖg相当が印加される。
【００７１】
タイミングｔ1における走査信号ＳＥＬの立ち上がりと同期して、それ以前はＨレベルだったパルス信号ＰＬＳの波形は、画素２の駆動モードに応じて、パルス状またはホールド状（Ｌレベル）のいずれかに変化する。上述した駆動モード信号ＤＲＴＭによってインパルス駆動が指示されている場合（ＤＲＴＭ＝Ｈ）、パルス信号ＰＬＳはパルス波形となる。これにより、インパルス駆動時における駆動期間ｔ1〜ｔ2では、駆動電流Ｉoledの電流経路中に設けられた制御トランジスタＴ5のオンとオフとが繰り返されるため、有機ＥＬ素子OLEDのインパルス駆動が行われる。一方、駆動モード信号ＤＲＴＭによってホールド駆動が指示されている場合（ＤＲＴＭ＝Ｌ）、パルス信号ＰＬＳは、常時Ｌレベルのホールド状となる。これにより、ホールド駆動時における駆動期間ｔ1〜ｔ2では、制御トランジスタＴ5が常時オンするため、有機ＥＬ素子OLEDのホールド駆動が行われる。
【００７２】
このように、本実施形態によれば、表示部１に表示すべき対象に応じた駆動モードを走査線単位で選択できる。したがって、上述した各実施形態と同様に、表示部１の全体的な表示品質の一層の向上を図ることができるとともに、この選択機能の付加に伴う回路規模の増大を抑制することができる。
【００７３】
なお、本実施形態では、有機ＥＬ素子OLEDの断続的な発光を、駆動電流Ｉoledの電流経路中に存在する制御トランジスタＴ5の導通制御により行っている。しかしながら、例えば、図１２または図１３に示すように、駆動電流Ｉoledの電流経路中に、制御トランジスタＴ5とは別に第２の制御トランジスタＴ6を追加した場合でも、同様のことを実現できる。図１２の画素回路では、第２の制御トランジスタＴ6を、第１の制御トランジスタＴ5のドレインと駆動トランジスタＴ4のソースとの間に設けている。また、図１３の画素回路では、第２の制御トランジスタＴ6を、駆動トランジスタＴ4のドレインと有機ＥＬ素子OLEDのアノードとの間に設けている。第２の制御トランジスタＴ6は、一例として、ｎチャネル型のトランジスタであり、そのゲートには、パルス信号ＰＬＳが供給される。一方、第１の制御トランジスタＴ5のゲートには、制御信号ＧＰが供給される。
【００７４】
図１４は、図１２または図１３の画素２の駆動のタイミングチャートである。制御信号ＧＰは、プログラミング期間ｔ0〜ｔ1において、Ｈレベルに維持される。したがって、駆動電流Ｉoledの電流経路は、制御信号ＧＰで導通制御される制御トランジスタＴ5によって遮断される。また、このプログラミング期間ｔ0〜ｔ1では、パルス信号ＰＬＳがＨレベルになるため、第２の制御トランジスタＴ6がオンする。したがって、データ電流Ｉdataの電流経路が形成されて、キャパシタＣにデータが書き込まれるとともに、有機ＥＬ素子OLEDが発光する。続く駆動期間ｔ1〜ｔ2では、インパルス駆動が指示されている場合（ＤＲＴＭ＝Ｈ）、パルス信号ＰＬＳはパルス波形となる。これにより、インパルス駆動時における駆動期間ｔ1〜ｔ2では、駆動電流Ｉoledの電流経路中に設けられた制御トランジスタＴ5のオンとオフとが繰り返されるため、有機ＥＬ素子OLEDのインパルス駆動が行われる。一方、駆動モード信号ＤＲＴＭによってホールド駆動が指示されている場合（ＤＲＴＭ＝Ｌ）、パルス信号ＰＬＳは、常時Ｈレベルのホールド状となる。これにより、ホールド駆動時における駆動期間ｔ1〜ｔ2では、制御トランジスタＴ5が常時オンするため、有機ＥＬ素子OLEDのホールド駆動が行われる。
【００７５】
（第４の実施形態）
本実施形態は、電圧プログラム方式における画素回路の構成に係り、特に、ＣＣ（Conductance Control）法と呼ばれるものに関する。ここで、「電圧プログラム方式」とは、データ線Ｘに対するデータの供給を電圧ベースで行う方式をいう。本実施形態において、１つの水平ラインＹは、走査信号ＳＥＬが供給される１本の走査線と、パルス信号ＰＬＳが供給される１本の信号線とによって構成されている。電圧プログラム方式では、データ電圧Ｖdataをデータ線Ｘにそのまま出力する関係上、データ線駆動回路４に可変電流源を設ける必要はない。
【００７６】
図１５は、本実施形態に係る画素２の回路図である。１つの画素２は、有機ＥＬ素子OLED、３つのトランジスタＴ1，Ｔ4，Ｔ5およびキャパシタＣによって構成されている。なお、本実施形態に係る画素回路では、トランジスタＴ1，Ｔ4，Ｔ5のタイプはすべてｎチャネル型であるが、これは一例であって、本発明はこれに限定されるものではない。
【００７７】
スイッチングトランジスタＴ1のゲートは、走査信号ＳＥＬが供給される走査線に接続され、そのドレインは、データ電圧Ｖdataが供給されるデータ線Ｘに接続されている。スイッチングトランジスタＴ1のソースは、キャパシタＣの一方の電極と、駆動トランジスタＴ4のゲートとに共通接続されている。キャパシタＣの他方の電極には電位Ｖssが印加されており、駆動トランジスタＴ4のドレインには電源電位Ｖddが印加されている。制御トランジスタＴ5は、パルス信号ＰＬＳによって導通制御され、そのソースは、有機ＥＬ素子OLEDのアノードに接続されている。この有機ＥＬ素子OLEDのカソードには、電位Ｖssが印加されている。
【００７８】
図１６は、本実施形態に係る画素２の駆動タイミングチャートである。まず、タイミングｔ0において、走査線ＳＥＬがＨレベルに立ち上がり、スイッチングトランジスタＴ1がオンする。これにより、データ線Ｘに供給されたデータ電圧Ｖdataが、スイッチングトランジスタＴ1を介して、キャパシタＣの一方の電極に印加され、データ電圧Ｖdata相当の電荷がキャパシタＣに蓄積される（データの書き込み）。なお、タイミングｔ0からタイミングｔ1までの期間において、パルス信号ＰＬＳはＬレベルに維持されるため、制御トランジスタＴ5はオフのままである。したがって、有機ＥＬ素子OLEDに対する駆動電流Ｉoledの電流経路が遮断されるため、この期間ｔ0〜ｔ1において、有機ＥＬ素子OLEDは発光しない。
【００７９】
タイミングｔ1からタイミングｔ2までの間は、キャパシタＣに蓄積された電荷に応じた駆動電流Ｉoledが有機ＥＬ素子OLEDを流れ、有機ＥＬ素子OLEDが発光する。タイミングｔ1では、走査信号ＳＥＬがＬレベルに立ち下がり、スイッチングトランジスタＴ1がオフする。これにより、キャパシタＣの一方の電極に対するデータ電圧Ｖdataの印加が停止するが、キャパシタＣの蓄積電荷によって、駆動トランジスタＴ4のゲートにはゲート電圧Ｖg相当が印加される。
【００８０】
タイミングｔ1における走査信号ＳＥＬの立ち下がりと同期して、それ以前はＬレベルだったパルス信号ＰＬＳは、画素２の駆動モードに応じて、パルス状またはホールド状（Ｈレベル）のいずれかに変化する。駆動モード信号ＤＲＴＭによってインパルス駆動が指示されている場合（ＤＲＴＭ＝Ｈ）、パルス信号ＰＬＳはパルス波形となる。これにより、インパルス駆動時における駆動期間ｔ1〜ｔ2では、駆動電流Ｉoledの電流経路中に設けられた制御トランジスタＴ5のオンとオフとが繰り返されるため、駆動電流Ｉoledの電流経路が繰り返し遮断される。その結果、有機ＥＬ素子OLEDのインパルス駆動が行われる。一方、駆動モード信号ＤＲＴＭによってホールド駆動が指示されている場合（ＤＲＴＭ＝Ｌ）、パルス信号ＰＬＳは、常時Ｈレベルのホールド状となる。これにより、ホールド駆動時における駆動期間ｔ1〜ｔ2では、制御トランジスタＴ5が常時オンするため、駆動電流Ｉoledの電流経路が維持される。その結果、有機ＥＬ素子OLEDのホールド駆動が行われる。
【００８１】
このように、本実施形態によれば、上述した実施形態と同様に、表示部１に表示すべき対象に応じた駆動モードを走査線単位で選択できる。したがって、上述した各実施形態と同様に、表示部１の全体的な表示品質の一層の向上を図ることができるとともに、この選択機能の付加に伴う回路規模の増大を抑制することができる。なお、本実施形態において、パルス信号ＰＬＳの波形をパルス状にする開始タイミングは、走査信号ＳＥＬの立ち下がりタイミングｔ1と同じでもよいが、特に低階調データの書き込みの安定性を考慮するならば、これよりも所定の時間だけ早く設定してもよい。
【００８２】
（第５の実施形態）
本実施形態は、電圧プログラム方式の画素回路を駆動する画素回路の構成に関する。本実施形態において、１つの水平ラインＹは、第１の走査信号および第２の走査信号がそれぞれ供給される２本の走査線と、パルス信号ＰＬＳが供給される１本の信号線とによって構成されている。
【００８３】
図１７は、本実施形態に係る画素２の回路図である。１つの画素２は、有機ＥＬ素子OLED、４つのトランジスタＴ1，Ｔ2，Ｔ4，Ｔ5および２つのキャパシタＣ1，Ｃ2によって構成されている。なお、本実施形態に係る画素回路では、トランジスタＴ1，Ｔ2，Ｔ4，Ｔ5のタイプがすべてｐチャネル型であるが、これは一例であって、本発明はこれに限定されるものではない。
【００８４】
第１のスイッチングトランジスタＴ1のゲートは、走査信号ＳＥＬが供給される走査線が接続され、そのソースは、データ電圧Ｖdataが供給されるデータ線Ｘに接続されている。第１のスイッチングトランジスタＴ1のドレインは、第１のキャパシタＣ1の一方の電極に接続されている。また、第１のキャパシタＣ1の他方の電極は、第２のキャパシタＣ2の一方の電極と、第２のスイッチングトランジスタＴ2のソースと、駆動トランジスタＴ4のゲートとに共通接続されている。第２のキャパシタＣ2の他方の電極と駆動トランジスタＴ4のソースとには、電源電位Ｖddが印加されている。第２のスイッチングトランジスタＴ2のゲートには第２の走査信号ＳＥＬ2が供給され、そのドレインは、駆動トランジスタＴ4のドレインと制御トランジスタＴ5のソースとに共通接続されている。パルス信号ＰＬＳがゲートに供給された制御トランジスタＴ5は、駆動トランジスタＴ4のドレインと有機ＥＬ素子OLEDのアノードとの間に設けられている。この有機ＥＬ素子OLEDのカソードには、電位Ｖssが印加されている。
【００８５】
図１８は、本実施形態に係る画素２の駆動タイミングチャートである。１垂直走査期間ｔ0〜ｔ4は、期間ｔ0〜ｔ1と、オートゼロ期間ｔ1〜ｔ2と、ロードデータ期間ｔ2〜ｔ3と、駆動期間ｔ3〜ｔ4とに分けられる。
【００８６】
まず、期間t0〜t1において、駆動トランジスタＴ4のドレインの電位が電位Ｖssに設定される。具体的には、タイミングｔ0において、第１および第２の走査信号ＳＥＬ1，ＳＥＬ2が共にＬレベルに立ち下がって、第１および第２のスイッチングトランジスタＴ1，Ｔ2が共にオンする。この期間ｔ0〜ｔ1では、データ線Ｘに対して電源電位Ｖddが固定的に印加されているため、第１のキャパシタＣ1の一方の電極には電源電位Ｖddが印加される。また、この期間ｔ0〜ｔ1では、パルス信号ＰＬＳがＬレベルに維持されているため、制御トランジスタＴ5がオンする。これにより、制御トランジスタＴ5と有機ＥＬ素子OLEDとを介した電流経路が形成され、駆動トランジスタＴ4のドレイン電位が電位Ｖssとなる。したがって、駆動トランジスタＴ4のソースを基準としたゲート電圧Ｖgsがマイナスになって、駆動トランジスタＴ4がオンする。
【００８７】
つぎに、オートゼロ期間t1〜t2において、駆動トランジスタＴ4のゲート電圧Ｖgsが閾値電圧Ｖthになる。この期間ｔ1〜ｔ2では、走査信号ＳＥＬ1，ＳＥＬ2は共にＬレベルなので、スイッチングトランジスタＴ1，Ｔ2のオン状態が維持される。タイミングｔ1において、パルス信号ＰＬＳがＨレベルに立ち上がり、制御トランジスタＴ5がオフになるが、第１のキャパシタＣ1の一方の電極には、データ線からの電源電位Ｖddの印加が継続される。駆動トランジスタＴ4のゲートには、自己のチャネルと第２のスイッチングトランジスタＴ2とを介して、自己のソースに印加された電源電位Ｖddが印加される。これにより、駆動トランジスタＴ4のゲート間電圧Ｖgsは、自己の閾値電圧Ｖthまで押し上げられ、ゲート電圧Ｖgsが閾値電圧Ｖthになった時点で、駆動トランジスタＴ4がオフになる。その結果、駆動トランジスタＴ4のゲートに接続された２つのキャパシタＣ1，Ｃ2の電極には、それぞれ閾値電圧Ｖthが印加されることになる。一方、キャパシタＣ1，Ｃ2の対向する電極には、データ線Ｘからの電源電位Ｖddが印加されているので、それぞれのキャパシタＣ1，Ｃ2の電位差は、電源電位Ｖddと閾値電圧Ｖthとの差（Ｖdd−Ｖth）に設定される（オートゼロ）。
【００８８】
続くロードデータ期間t2〜t3において、オートゼロに設定されたキャパシタＣ1，Ｃ2に対するデータの書き込みが行われる。この期間ｔ2〜ｔ3において、第１の走査信号ＳＥＬ1は、それ以前と同様にＬレベルに維持され、パルス信号ＰＬＳも、それ以前と同様にＨレベルに維持されている。したがって、第１のスイッチングトランジスタＴ1はオンしたままであり、制御トランジスタＴ5はオフしたままである。しかしながら、タイミングｔ2において、第２の走査信号ＳＥＬ2がＨレベルに立ち上がるため、第２のスイッチングトランジスタＴ2がオンからオフに変化する。また、データ電圧Ｖdataとして、従前の電源電位ＶddからΔＶdataだけ低下させた電圧レベルがデータ線Ｘに印加される。変化量ΔＶdataは、画素２に書き込むデータに応じた可変値であり、これにより、第１のキャパシタＣ1の電位差が低下する。このように第１のキャパシタＣ1の電位差を変化させると、キャパシタＣ1，Ｃ2の容量分割の関係に従い、第２のキャパシタＣ2の電位差も変化する。変化後の各キャパシタＣ1，Ｃ2の電位差は、オートゼロ期間ｔ1〜ｔ2での電位差（Ｖdd−Ｖth）から変化量ΔＶdata相当を差し引いた値によって決まる。変化量ΔＶdataに起因したキャパシタＣ1，Ｃ2の電位差の変化によって、それぞれのキャパシタＣ1，Ｃ2に対してデータが書き込まれる。
【００８９】
最後に、駆動期間ｔ3〜ｔ4において、第２のキャパシタＣ2に蓄積された電荷に応じた駆動電流Ｉoledが有機ＥＬ素子OLEDを流れ、有機ＥＬ素子OLEDが発光する。タイミングｔ3において、第１の走査信号ＳＥＬ1がＨレベルに立ち上がり、第１のスイッチングトランジスタＴ1がオンからオフに変化する（第２のスイッチングトランジスタＴ2はオフのままである）。また、データ線Ｘの電圧は、電源電位Ｖddへと復帰する。これにより、データ電源電位Ｖddが印加されたデータ線Ｘと第１のキャパシタＣ1の一方の電極とが分離されるとともに、駆動トランジスタＴ4のゲートとドレインとの間も分離される。したがって、駆動トランジスタＴ4のゲートには、第２のキャパシタＣ2の蓄積電荷に応じた電圧（ソースを基準としたゲート電圧Ｖgs）が印加される。なお、駆動トランジスタＴ4を流れる電流Ｉds（駆動電流Ｉoledに相当）の算出式には、駆動トランジスタＴ4の閾値電圧Ｖthとゲート電圧Ｖgsとが変数として含まれる。しかしながら、ゲート電圧Ｖgsとして、第２のキャパシタＣ2の電位差（Ｖgsに相当）を代入した場合、駆動電流Ｉoledの算出式において、閾値電圧Ｖthが相殺される。その結果、駆動電流Ｉoledは、駆動トランジスタＴ4の閾値電圧Ｖthの影響を受けることなく、データ電圧の変化量ΔＶdataのみに依存することになる。
【００９０】
タイミングｔ3における第１の走査信号ＳＥＬ1の立ち上がりと同期して、それ以前はＨレベルだったパルス信号ＰＬＳは、画素２の駆動モードに応じて、パルス状またはホールド状（Ｌレベル）のいずれかに変化する。駆動モード信号ＤＲＴＭによってインパルス駆動が指示されている場合（ＤＲＴＭ＝Ｈ）、パルス信号ＰＬＳはパルス波形となる。これにより、インパルス駆動時における駆動期間ｔ3〜ｔ4では、駆動電流Ｉoledの電流経路中に設けられた制御トランジスタＴ5のオンとオフとが繰り返されるため、駆動電流Ｉoledの電流経路が繰り返し遮断される。その結果、有機ＥＬ素子OLEDのインパルス駆動が行われる。一方、駆動モード信号ＤＲＴＭによってホールド駆動が指示されている場合（ＤＲＴＭ＝Ｌ）、パルス信号ＰＬＳは、常時Ｌレベルのホールド状となる。これにより、ホールド駆動時における駆動期間ｔ1〜ｔ2では、制御トランジスタＴ5が常時オンするため、駆動電流Ｉoledの電流経路が維持される。その結果、有機ＥＬ素子OLEDのホールド駆動が行われる。
【００９１】
このように、本実施形態によれば、上述した実施形態と同様に、表示部１に表示すべき対象に応じた駆動モードを走査線単位で選択できる。したがって、上述した各実施形態と同様に、表示部１の全体的な表示品質の一層の向上を図ることができるとともに、この選択機能の付加に伴う回路規模の増大を抑制することができる。なお、本実施形態では、タイミングｔ4において、パルス信号ＰＬＳのパルス波形を終了しているが、特に低階調データの書き込みの安定性を考慮するならば、タイミングｔ4よりも所定の時間だけ早く終了させてもよい。
【００９２】
（第６の実施形態）
本実施形態は、電流プログラム方式の画素回路を駆動する画素回路の構成に係り、上述した図８の画素回路の変形例である。本実施形態において、１つの水平ラインＹは、第１の走査信号ＳＥＬ1および第２の走査信号ＳＥＬ2がそれぞれ供給される２本の走査線で構成されている。また、第１の駆動信号ＩＮＰ1の周期は、上述した各実施形態における第１の駆動信号ＩＮＰ1のそれよりも長く、実際には、図２０に示す期間ｔ1〜ｔ2を１周期相当に設定されている。
【００９３】
図１９は、本実施形態に係る画素２の回路図である。１つの画素２は、有機ＥＬ素子OLED、４つのトランジスタＴ1〜Ｔ4およびキャパシタＣによって構成されている。この画素回路では、ｎチャネル型のトランジスタＴ1，Ｔ2と、ｐチャネル型のトランジスタＴ3，Ｔ4とが用いられているが、これは一例であって、本発明はこれに限定されるものではない。図１９に示した画素回路が図８のそれと異なるのは、第２のスイッチングトランジスタＴ2をｎチャネル型とした点と、駆動電流Ｉoledの電流経路中の制御トランジスタＴ5をなくした点である。第２のスイッチングトランジスタＴ2は、第２の走査信号ＳＥＬ2による画素２の選択機能の他に、制御トランジスタＴ5としての機能をも有している。それとともに、第２の走査信号ＳＥＬ2は、走査信号しての機能の他に、上述した制御信号ＰＬＳとしての機能をも有している。
【００９４】
図２０は、本実施形態に係る画素２の駆動タイミングチャートである。まず、プログラミング期間t0〜ｔ1では、第２の実施形態と同様の動作により、キャパシタＣに対するデータの書き込みが行われる。続く駆動期間ｔ1〜ｔ2では、キャパシタＣに蓄積された電荷に応じた駆動電流Ｉoledが有機ＥＬ素子OLEDを流れ、駆動モードに応じて、有機ＥＬ素子OLEDが発光する。まず、駆動開始タイミングｔ1において、走査信号ＳＥＬ1，ＳＥＬ2が共にＬレベルに立ち下がることにより、スイッチングトランジスタＴ1，Ｔ2が共にオフする。これにより、データ電流Ｉdataが供給されたデータ線Ｘと駆動トランジスタＴ4のドレインとが電気的に分離され、駆動トランジスタＴ4のゲートとドレインとの間も電気的に分離される。駆動トランジスタＴ4のゲートには、キャパシタＣの蓄積電荷に応じて、ゲート電圧Ｖg相当が印加される。
【００９５】
タイミングｔ1における第１の走査信号ＳＥＬ1の立ち下がりと同期して、第２の走査信号ＳＥＬ2の波形は、画素２の駆動モードに応じて、期間ｔ1〜ｔ2を１周期相当とするパルス状またはホールド状（Ｌレベル）のいずれかに変化する。駆動モード信号ＤＲＴＭによってホールド駆動が指示されている場合（ＤＲＴＭ＝Ｌ）、第２の走査信号ＳＥＬ2は駆動期間ｔ1〜ｔ2の全域に亘ってＬレベルに維持される。これにより、ホールド駆動時における駆動期間ｔ1〜ｔ2では、キャパシタＣの蓄積電荷に応じて駆動トランジスタＴ4が駆動して、駆動電流Ｉoledが有機ＥＬ素子OLEDに供給され続けるため、有機ＥＬ素子OLEDのホールド駆動が行われる。一方、駆動モード信号ＤＲＴＭによってインパルス駆動が指示されている場合（ＤＲＴＭ＝Ｈ）、第２の走査信号ＳＥＬ2は、駆動期間ｔ1〜ｔ2の前半においてＬレベルに維持され、その後半においてＨレベルに立ち上がる。したがって、第２の走査信号ＳＥＬ2が立ち上がるまでの前半期間では、キャパシタＣの蓄積電荷に応じて駆動トランジスタＴ4が駆動して、駆動電流Ｉoledが有機ＥＬ素子OLEDに供給されるため、有機ＥＬ素子OLEDが発光する。そして、第２の走査信号ＳＥＬ2の立ち上がり以降の後半期間では、第２のスイッチングトランジスタＴ2がオンすることにより、キャパシタＣの一方の電極と電源電位Ｖddとの間に、トランジスタＴ2，Ｔ3を介した電流経路が形成される。これにより、キャパシタＣの蓄積電荷が強制的に消去されて（換言すれば、書き込まれたデータが消去されて）、駆動トランジスタＴ4がオフするので、有機ＥＬ素子OLEDの発光が停止する。つまり、駆動期間ｔ1〜ｔ2において、有機ＥＬ素子OLEDは、駆動電流Ｉoledによって発光した後、キャパシタＣの蓄積電荷の消去に起因して非発光となる。その結果、有機ＥＬ素子OLEDは、１回の発光と、それに続く１回の非発光とが行われることになる（インパルス駆動）。
【００９６】
このように、本実施形態によれば、表示部１に表示すべき対象に応じた駆動モードを走査線単位で選択できる。これにより、上述した各実施形態と同様に、表示部１の全体的な表示品質の一層の向上を図ることができるとともに、この選択機能の付加に伴う回路規模の増大を抑制することができる。なお、上述した各実施形態では、駆動電流Ｉoledの電流経路の遮断によってインパルス駆動を実現していたのに対して、本実施形態では、キャパシタの蓄積電荷を消去することによってそれを実現している点に留意されたい。したがって、本実施形態では、１垂直走査期間において、有機ＥＬ素子OLEDの発光と非発光とを繰り返すことはできず、発光後は非発光の状態が継続されることになる。
【００９７】
なお、上述した各実施形態では、電気光学素子として有機ＥＬ素子OLEDを用いた例について説明した。しかしながら、本発明はこれに限定されるものではなく、それ以外の、駆動電流に応じた輝度で発光する電気光学素子に対して適用可能である。
【００９８】
また、上述した各実施形態に係る電気光学装置は、例えば、プロジェクタ、携帯電話機、携帯端末、モバイル型コンピュータ、パーソナルコンピュータ等を含む様々な電子機器に実装可能である。図２１は、一例として、上述した実施形態に係る電気光学装置を実装した携帯電話１０の斜視図である。この携帯電話１０は、複数の操作ボタン１１のほか、受話口１２、送話口１３とともに、上述した表示部１を備えている。これらの電子機器に上述した電気光学装置を実装すれば、電子機器の商品価値を一層高めることができ、市場における電子機器の商品訴求力の向上を図ることができる。
【図面の簡単な説明】
【００９９】
【図１】第１の実施形態に係る電気光学装置のブロック構成図
【図２】駆動モード信号ＤＲＴＭの説明図
【図３】第１の実施形態に係る画素の回路図
【図４】第１の実施形態に係る画素の駆動タイミングチャート
【図５】駆動モード選択回路の回路図
【図６】線順次走査による駆動制御のタイミングチャート
【図７】駆動信号ＩＮＰ1，ＩＮＰ2のパルス波形を示す図
【図８】第２の実施形態に係る画素の回路図
【図９】第２の実施形態に係る画素の駆動タイミングチャート
【図１０】第３の実施形態に係る画素の回路図
【図１１】第３の実施形態に係る画素の駆動タイミングチャート
【図１２】第３の実施形態に係る画素の回路図の変形例
【図１３】第３の実施形態に係る画素の回路図の他の変形例
【図１４】第３の実施形態に係る画素の駆動タイミングチャート
【図１５】第４の実施形態に係る画素の回路図
【図１６】第４の実施形態に係る画素の駆動タイミングチャート
【図１７】第５の実施形態に係る画素の回路図
【図１８】第５の実施形態に係る画素の駆動タイミングチャート
【図１９】第６の実施形態に係る画素の回路図
【図２０】第６の実施形態に係る画素の駆動タイミングチャート
【図２１】本実施形態に係る電気光学装置を実装した携帯電話の斜視図
【符号の説明】
【０１００】
１    表示部
２    画素
３    走査線駆動回路
４    データ線駆動回路
５    制御回路
６    駆動モード選択回路
６ａ    Ｄフリップフロップ
６ｂ，６ｃ  トランスミッションゲート
６ｄ，６ｅ  インバータ
６ｆ    ＮＡＮＤゲート
６ｇ    選択部
Ｔ1   第１のスイッチングトランジスタ
Ｔ2   第２のスイッチングトランジスタ
Ｔ3   プログラミングトランジスタ
Ｔ4   駆動トランジスタ
Ｔ5   制御トランジスタ
Ｔ6   第２の制御トランジスタ
Ｃ    キャパシタ
Ｃ1   第１のキャパシタ
Ｃ2   第２のキャパシタ
OLED  有機ＥＬ素子
【図１】
0003707484.tif 000002
【図２】
0003707484.tif 000003
【図３】
0003707484.tif 000004
【図４】
0003707484.tif 000005
【図５】
0003707484.tif 000006
【図６】
0003707484.tif 000007
【図７】
0003707484.tif 000008
【図８】
0003707484.tif 000009
【図９】
0003707484.tif 000010
【図１０】
0003707484.tif 000011
【図１１】
0003707484.tif 000012
【図１２】
0003707484.tif 000013
【図１３】
0003707484.tif 000014
【図１４】
0003707484.tif 000015
【図１５】
0003707484.tif 000016
【図１６】
0003707484.tif 000017
【図１７】
0003707484.tif 000018
【図１８】
0003707484.tif 000019
【図１９】
0003707484.tif 000020
【図２０】
0003707484.tif 000021
【図２１】
0003707484.tif 000022